(57)【要約】【課題】  放射線透過試験で撮影した検査フィルムの画像の解像度を、ラインペアの分解能を計測することにより、定量化して保障し、解像度の保障されたデジタル画像を得る方法を提供する。【解決手段】  長方形のスリットを複数本有する放射線透過試験用透過度計と試験体とを放射線透過試験で同時に検査フィルムに撮影し（手順５）、その検査フィルムをスキャナにかけてコンピュータへデジタル画像データとして入力し（手順１０）、そのデジタル画像データの放射線透過試験用透過度計の画像データ部分の輝度情報からスリットの像とその間隔の像との画像に係るＭＴＦ値をコンピュータで求めて（手順１１）、そのＭＴＦ値が予め定めた値以上か否かを判定し（手順１２）そのＭＴＦ値が予め定めた値以上の場合に検査フィルムの解像度が保証されてそのデジタル画像データはコンピュータのメモリ等に電子的に保存される（手順１３）。【選択図】図２
2005117513.tif 000002
【特許請求の範囲】
【請求項１】
放射線透過試験用透過度計及び試験体に放射線を照射し、前記放射線透過試験用透過度計及び前記試験体を透過した放射線でフィルムを感光し、前記フィルムに写った前記放射線透過試験用透過度計の像のＭＴＦ値を求める放射線透過試験画像の解像度を求める方法。
【請求項２】
請求項１において、前記フィルムに写った像をデジタル画像データに変換し、前記デジタル画像データに基づいて前記ＭＴＦ値を求め、前記ＭＴＦ値が予め定めた値よりも大きい場合に前記デジタル画像データを保存することを特徴とする放射線透過試験画像の解像度を求める方法。
【請求項３】
請求項１又は請求項２において、前記放射線透過試験用透過度計として、前記放射線透過試験用透過度計の板厚と等しいもしくは２倍或いは４倍のスリット幅を持つ長方形スリット貫通穴と、前記スリット幅と同じ幅のスリット間隔を一対としてこれを複数対持つ形状の放射線透過試験用透過度計を使用することを特徴とする放射線透過試験画像の解像度を求める方法。
【請求項４】
放射線透過試験用透過度計として、その放射線透過試験用透過度計の板厚と等しいもしくは２倍或いは４倍のスリット幅を持つ長方形スリット貫通穴と、前記スリット幅と同じ幅のスリット間隔を一対としてこれを複数対持つ形状の放射線透過試験用透過度計を使用し、前記放射線透過試験用透過度計及び試験体に放射線を照射して放射線透過試験用透過度計及び試験体を透過した放射線でフィルムを感光し、次に前記フィルムをスキャナでスキャニングして前記フィルムに写った像をデジタル画像データとし、前記デジタル画像データに基づいて放射線透過試験用透過度計の画像の前記スリット幅方向に並んだ明暗に係るＭＴＦ値を求め、前記ＭＴＦ値が予め定めたＭＴＦ値以上であるか否かを判定して、前記予め定めたＭＴＦ値以上と判定されたものに係る前記デジタル画像データを電子的に保存する放射線透過試験画像の取得方法。
【発明の詳細な説明】
【技術分野】
【０００１】
本発明は、放射線透過試験で試験体を撮像した検査フィルム内の画像の解像度を視覚によらずに定量的に求める技術、およびその定量化で保証された検査フィルムのデジタル画像データを得る技術に関する。
【背景技術】
【０００２】
現在、放射線透過試験（以下、ＲＴともいう。）においては、放射線透過試験装置にて試験体を撮影した検査フィルムを、検査員が目視判定し、検査フィルム内に写された試験体の欠陥の像の有無を判定する方法がとられている。検査フィルムに試験体を写す際には、同時に放射線透過試験用透過度計もその検査フィルム内に写して解像度の目安としている。その目安は検査員の視覚によってたよっていた。
【０００３】
ここで、撮影するフィルムの解像度を保障するために使用される放射線透過試験用透過度計は、JIS Z 2306-2000 「放射線透過試験用透過度計」に示されるように、針金形透過度計と有孔形透過度計の２種類に分類される。針金形透過度計はさらに、一般形と、帯形の２種類に分類されている。一般形の針金形透過度計は、７本の直径の異なる針金を、Ｘ線の吸収の少ないプラスチック等に埋め込んだ構造になっている。帯形の針金形透過度計は、同一直径の針金９本を埋め込んだ構造になっていて、主に管の円周溶接部の撮影に利用されている。
【０００４】
一方、有孔形透過度計には、方形，円形の２種類があり、夫々、方形，円形の板を、識別試験体板厚の２％に相当する板厚とし、その板上に、板厚と同等の直径を持つ円孔，板厚の半分の直径となる円孔，板厚の２倍の直径を持つ円孔等の、板厚と関連する寸法の貫通孔を設けた形状である。
【０００５】
これらの放射線透過試験用透過度計は、例えば鋼の場合、JIS Z 3104-1995 「鋼溶接継手の放射線透過試験方法」に示されるように、放射線透過試験のフィルム撮影持、試験対象箇所端部に配置され、検査フィルム内に針金、もしくは円孔の像を写しこみ、その線や孔が明瞭に検査フィルム内で識別できることが、検査フィルムに要求される。
【０００６】
しかしながら、線や孔が明瞭に識別できるか否かは、検査員個人個人の判断に依存する場合があり、判定結果が検査員によって食い違う可能性も否定できない。
【０００７】
これを解決するための手段のひとつとして、従来のＲＴフィルムデジタイジング解像力の確認方法及びフィルムデジタイジング装置においては、撮影した検査フィルムをデジタイジング装置にてデジタル画像化する際に、複数のラインペアを持つ基準フィルムとともにデジタイズすることによって、フィルム画像に取り込まれたラインペアの線幅，ピッチ幅を計測し、解像力確認チャートの線幅，ピッチ幅の偏差を許容率と比較することによりデジタル画像データの解像度を定量的に保障できる方法を提案している（例えば、特許文献１参照）。
【０００８】
【特許文献１】特開２００３−２０９６５４号公報
【発明の開示】
【発明が解決しようとする課題】
【０００９】
しかしながら、このような従来のＲＴフィルムデジタイジング解像力の確認方法及びフィルムデジタイジング装置においては、放射線透過試験時の透過度計は従来のものを使用するため、撮影後の検査フィルムそのものが持つ解像度は、有孔形透過度計もしくは針金形透過度計によりフィルム内に写し込まれた円、もしくは線の像が、目視確認できるかどうかを判断する必要がある。すなわち、この方法は解像度が確認されたフィルムに対して、デジタル画像化する際に解像度を保ちつつ、デジタル化できる方法を提供するものであり、検査フィルムそのものの解像度を定量的に保証することができないという課題を持つ。
【００１０】
従って、本発明の目的は、放射性透過試験で撮影した検査フィルムそのものの解像度を定量的に保証することである。
【００１１】
本発明の他の目的は、放射性透過試験で撮影した検査フィルムそのものの解像度が視覚にたよることなく保証された画像をデジタル画像データとして取得することである。
【課題を解決するための手段】
【００１２】
本発明の手段は、放射線透過試験のフィルム撮影時に放射線透過試験用透過度計を試験体と同時に検査フィルム内に移しこみ、前記検査フィルム内に移しこまれた前記放射線透過試験用透過度計の像のＭＴＦ値を求めて、前記検査フィルム内の画像の解像度を定量化して放射線透過試験画像の解像度を保障する。
【００１３】
より具体的には、放射線透過試験のフィルム撮影時に使用する放射線透過試験用透過度計として、透過度計板厚と等しいもしくは２倍或いは４倍のスリット幅を持つ長方形スリット貫通穴と、前記スリット幅と同じ幅のスリット間隔を一対としてこれを複数対持つ形状の放射線透過試験用透過度計を使用し、前記放射線透過試験のフィルム撮影時に、検査フィルム内に前記放射線透過試験用透過度計を試験体と共に写し込み、その後に前記検査フィルムをスキャナでスキャニングしてデジタル画像データとし、前記デジタル画像データに基づいて放射線透過試験用透過度計の画像の前記スリット幅方向に並んだ明暗に係るＭＴＦ値を求めて前記検査フィルム内の画像の解像度を定量化し、前記検査フィルムに係る前記デジタル画像データを電子的記憶装置に保存して取得する。
【発明の効果】
【００１４】
本発明によれば、放射線透過試験で撮影した検査フィルムそのものの解像度を視覚に頼らずに保証できるので、放射線透過試験の信頼性が向上する。
【発明を実施するための最良の形態】
【００１５】
本発明を実施するため最良の形態は、放射線透過試験のフィルム撮影時に使用する放射線透過試験用透過度計として、放射線透過試験用透過度計板厚と等しいもしくは２倍若しくは４倍のスリット幅のスリットとスリット間隔の対を複数持つ透過度計を使用し、放射線透過時に検査フィルム内にこのスリットとスリット間隔によるラインペアと試験体とを同時に撮影して写しこみ、撮影した検査フィルムをデジタイズした後、前記検査フィルム画像の解像度を前記ラインペアの像のスリット幅方向に並んだ明暗に係るＭＴＦ値を計測することにより定量化して保障し、更にこのましくは、その解像度が保証された検査フィルムのデジタル画像データを保存して取得することである。
【００１６】
更に具体的には、放射線透過試験に用いる放射線透過試験用透過度計として、図１に示されるように、試験体厚さの２％の板厚を持つ方形の板材１に、透過度計板厚と等しいもしくは２或いは４倍の幅を持つ長方形スリット貫通穴２と、スリット幅と同じ幅のスリット間隔３を一対としてこれを複数持つ放射線透過試験用透過度計（以下、ラインペア形透過度計と呼ぶ）を使用する。
【００１７】
これは、現状の有孔形透過度計が、試験対厚さの２％の板材に、その板厚と同値、２倍もしくは４倍の孔径の貫通穴を持ち、放射線透過試験条件に応じて指定の貫通孔の透過像がフィルム上で目視可能であることが要求されることを勘案し、この寸法上の特徴を踏襲した寸法要求である。
【００１８】
上記ラインペア形透過度計を使用して放射線透過試験の検査フィルム内にこのスリットとスリット間隔により形成される明暗のラインペア画像を写しこみ、この検査フィルム１枚全体を単独でスキャナによってデジタル画像化し、写しこまれたラインペアの像のMTF値を測定することにより、検査フィルムの画像の解像度を保障できる技術を確立した。
【実施例１】
【００１９】
図１に示されるように、放射線透過試験に用いる放射線透過試験用透過度計として、試験体２２の厚さの２％の板厚を持つ方形の板材１に、その板厚と等しいもしくは２倍或いは４倍のスリット幅Ｗを持つ３本の長方形スリット貫通穴２と、スリット幅Ｗと同じ幅Ｓのスリット間隔３を一対としてこれを複数対持つ放射線透過試験用透過度計（以下、ラインペア形透過度計と呼ぶ。）を使用する。ラインペア形透過度計の板材１の材料は、試験体２２と同種或いは同様な放射線透過度合いを示す材料とされる。
【００２０】
長方形スリット貫通穴２の形状を長方形のスリットとすることにより、放射線透過試験による放射線透過後に検査フィルムに長方形スリット貫通穴２とスリット間隔３からなる等幅のラインのペアを写しこむことができる。
【００２１】
ここで、ラインペア形透過度計の寸法要求を式にて以下に整理する。スリット形貫通穴２（以下、スリット２という。）のスリット幅Ｗと、スリット間隔Ｓの関係はラインペア形透過度計の板材１の板厚をＴとするとき、
スリット幅Ｗが１Ｔのスリット２の場合、  １Ｔ＝Ｗ＝Ｓ                （１）式
スリット幅Ｗが２Ｔのスリット２の場合、  ２Ｔ＝Ｗ＝Ｓ                （２）式
スリット幅Ｗが４Ｔのスリット２の場合、  ４Ｔ＝Ｗ＝Ｓ                （３）式
また、スリット幅Ｗと、スリット長さＬの関係は、
Ｌ＞７＊Ｗ                                                          （４）式
式（１）（２）（３）は、現状の有孔形透過度計が、試験体２２の厚さの２％の板材に、その板厚と同値或いは２倍もしくは４倍の孔径の貫通孔を持ち、放射線透過試験条件に応じて指定の貫通孔の像が検査フィルム上で目視可能であることが要求されることを勘案し、この寸法上の特徴を踏襲した寸法要求である。
【００２２】
このようにラインペア形透過度計のスリットの幅と、有孔形透過度計の孔径を同じ寸法とすることで、従来の有孔形透過度計の識別度要求規定に従い、ラインペア形透過度計の像を評価できる。
【００２３】
また、式（４）のように、スリット長さＬをスリット幅Ｗに対し７倍をこえるように十分大きくすることにより、放射線透過後、検査フィルム２３にスリット２による暗い像とスリット間隔３による明るい像とによる明暗状態で写しこまれるラインペア像が見やすくなるとともに、後述のラインペア像のスリット幅Ｗの方向にラインペア像の明暗を計る際、スリット長さＬ方向で分散した複数の位置で計測可能になる上、その計測を行う計測位置の座標設定が容易である。
【００２４】
この実施例のラインペア像は、図６のＰ１，Ｐ２，Ｐ３の暗部とその周辺の明部との明暗を一対として複数対の像となる。このように複数対の像に対して明暗を計って複数対の計測結果を平均化すると誤差が吸収されて計測結果の精度が上がる。
【００２５】
また、スリット２はスリット長さＬがスリット幅Ｗの７倍にも達するので、明暗を計っていく座標記号Ｘ１１，Ｘ１２，Ｘ１３で示されるスリット幅Ｗの方向の計測ラインがスリット長さＬ方向に座標記号Ｘ１１とＸ１３で囲われた範囲では何所でも精度の良い計測が可能となる。
【００２６】
図２のフロー図は、本発明の一実施例による放射線透過試験方法の試験手順を示している。その手順を示すと、まず、手順４において中央に溶接部２６のある試験体２２の材質，厚さに従い、使用するラインペア形透過度計の材質，種別を試験体２２の材質にあわせて決める。この際、放射線透過力は材料により異なるため、ラインペア型透過度計の材料は試験体２２の材料と同等のものを選択して使用するように決める。
【００２７】
次に、手順５において、選択したラインペア形透過度計を用いてフィルム撮影を行う。ラインペア形透過度計を用いた放射線透過試験におけるフィルム撮影の一例としては、図３に示されるように、試験体２２に放射線を照射出来る位置に放射線の線源２０を置き、更に、ラインペア形透過度計２１を線源２０側の試験体２２表面に置く。更に、検査フィルム２３を線源２０とは反対に面する試験体２２の面に配置し、その検査フィルム２３と試験体２２との間に階調計２４を配置してフィルム撮影を行う。フィルム撮影は、線源
２０から放射線を試験体２２方向に照射して放射線を溶接部２６を含む試験体２２と階調計２４とラインペア形透過度計２１に透過させ、透過した放射線で検査フィルムを感光させて、その透過像を検査フィルム２３に写しこむことで成される。その検査フィルム２３には図３の（ｂ）図のＬ３の範囲が写しこまれる。
【００２８】
このフィルム撮影の際、使用する透過度計の名称２８，試験の管理番号２７を、放射線を試験体２２の材質よりも透過しにくい材質の重金属で作成しラインペア形透過度計２１の近傍に配置する。ラインペア形透過度計２１と透過度計の名称２８と試験の管理番号
２７は樹脂等であらかじめ一体となるよう固定しても良い。これにより、フィルム撮影後の検査フィルム２３に、ラインペア形透過度計２１の名称，試験の管理番号が白色の文字で写しこむことが可能であり、後のフィルム管理に役立つ。
【００２９】
このようにして撮影した検査フィルム２３には、ラインペア形透過度計２１のスリット２とスリット間隔３の部分による明暗のラインペア像が検査フィルム２３内に試験体２２やその溶接部２６の放射線透過像とともに写しこまれる。
【００３０】
このような放射線透過試験時には、上述の方法により撮影するラインペア像をもった検査フィルム２３各々に対し、手順６で、図４に示される管理番号，試験品名称，登録日等の属性データを控えておく。
【００３１】
ここで、撮影後の検査フィルムのスキャニングから欠陥判定までに使用するツールとその役割を図５に示す。手順７で、スキャナ３０を用いてこの撮影後の検査フィルム２３をデジタル画像データ化するにあたってのスキャニング条件を設定する。
【００３２】
次に手順８で、スキャナ３０にデジタル画像データ化する対象の検査フィルム２３を１枚ずつ設定し、手順９でスキャニング処理を行う。スキャニング処理して得られたデジタル画像データは、手順１０においてコンピュータ３１のハードディスク等のメモリへ取り込まれ、且つディスプレイ３２上にデジタル画像データによる画像が表示される。そのデジタル画像データのデータ構成の中には、検査フィルム２３内の各座標位置での明暗の程度を示す輝度データが含まれている。
【００３３】
ディスプレイ３２上に示される撮影後の検査フィルム２３のデジタル画像データによる画像の概要を図６に示す。撮影後の検査フィルム２３に写されているフィルム像３３の中には、ラインペア形透過度計２１にかかわる透過時計の名称２８の像３４，ラインペア形透過度計２１の像３５，試験の管理番号２７の像３６，諧調計２４の像３７，溶接部２６の像３８がそれぞれ写しこまれている状況が視認できる。
【００３４】
ここで、ディスプレイ３２上で表示された画像のデジタル画像データに対し、光学機器の解像度を保障する目的で広く利用されているＭＴＦ値の考え方を適用し、手順１１でラインペア像の解像度をＭＴＦ値を求めることで計測する。その解像度の計測はコンピュータ３１を用いて図７に示すプログラムフローチャートの手順で実行される。
【００３５】
即ち、コンピュータ３１に撮影後の検査フィルム２３の画像のデジタル画像データを取り込んでＭＴＦ値を計測する対象データとする。次に、手順３９でコンピュータ３１内のＭＴＦ値の計測用のソフトウェアを起動する。次に、手順４０において、画像調整機能により、ラインペア像の大きさ，コントラストを変化させ、ラインペア像が目視できるように調整する。次に、手順４１においてラインペア像のＭＴＦ値の計測位置を、ラインペア像のスリット幅方向、即ち明部と暗部とによるラインのラインペアに垂直な方向に、位置を示す座標記号ｘ１１，ｘ１２，ｘ１３を決めて設定して、それらに対応した計測ラインＫ１，Ｋ２，Ｋ３をスリット２のスリット幅Ｗの方向に決める。スリット２のスリット幅Ｗの方向とは、検査フィルムやデスプレイに表示された図６の画面上ではラインペア像の３本の暗部の並びの方向を意味する。
【００３６】
本実施例のように、スリット２の形状を長方形にすることにより、そのスリット２の長手方向に対し垂直な方向の断面を複数位置、例えば計測ラインＫ１，Ｋ２，Ｋ３にとり、濃度分布を計測することが可能となる。
【００３７】
次に手順４２において、スリットの像に垂直な計測ラインＫ１，Ｋ２，Ｋ３に沿う方向Ｐ１→Ｐ２→Ｐ３の濃度分布を座標Ｘ１１，Ｘ１２，Ｘ１３、即ち計測ラインＫ１，Ｋ２，Ｋ３で別々に計測する。
【００３８】
手順４２に計測ラインＫ１,Ｋ２,Ｋ３ごとにおいて別々に計測した座標Ｘ１１，Ｘ１２，Ｘ１３における濃度分布を、手順４３においてスリットの像に垂直な方向Ｐ１→Ｐ２→Ｐ３の位置ごとに積算し、図８に示されるように、縦軸に濃度、横軸にスリットに垂直な方向Ｐ１→Ｐ２→Ｐ３の位置をとってヒストグラムを作成する。
【００３９】
ここで、手順４４においてスリット２の像である暗ラインＰ１，Ｐ２，Ｐ３の中心部の最も暗い像となる濃度極大値（＝最大値）を夫々求め平均した値をＢ、ラインペア間隔の中心部すなわち、Ｐ１とＰ２の間、Ｐ２とＰ３の間となる最も明るい部分２ヶ所の平均値をＡ、透過度計像の両端等の基準となる明るさとなる部分の平均値となる基準値Ｃの濃度をそれぞれ算出する。
【００４０】
このように、ラインペア像の暗ラインＰ１，Ｐ２，Ｐ３長手方向、その長手方向に垂直な方向に各々求める濃度を積算、もしくは平均化することにより、画像データのノイズによる影響を低減し、より正確なＭＴＦ値を算出することが可能である。
【００４１】
上述の方法で求めた値を利用して、光学機器等の解像度を保証する際の考え方を適用して、ラインペア像のＭＴＦ値を手順４５で計算する。
【００４２】
ＭＴＦ（Modulation Transfer Function）値とは像の明暗のコントラストの度合いを示す値で、明暗の強度レベルをＩとしたとき、下記の式で表される。
【００４３】
ＭＴＦ値＝（Ｉ（明）−Ｉ（暗））／（Ｉ（明）＋Ｉ（暗））          （５）式
ここで、Ｉ（明）はもっとも高い強度レベルの値、Ｉ（暗）はもっとも低い値である。その値が大きいほうがコントラストが高い。一般的にこの値が０.２ 以上であれば、識別可能であるとされるため、ラインペア像の分解能評価の際にも０.２ 以上であることを識別可否の閾値とする。
【００４４】
よって今回の例の場合には、以下の式によりＭＴＦ値を算出する。
【００４５】
ＭＴＦ値＝｛（Ｂ−Ｃ）−（Ａ−Ｃ）｝／｛（Ｂ−Ｃ）＋（Ａ−Ｃ）｝
＝（Ｂ−Ａ）／（Ｂ＋Ａ−２Ｃ）                            （６）式
これが０.２ すなわち２０％以上であれば、デジタル化されたフィルム画像は十分に識別可能であり、放射線透過試験結果として適切な解像度が得られるとして手順４６でMTF値が０.２ 以上か否かを判定する。この判定は図２の手順１２に相当する。ＭＴＦ値が
０.２ 以上の判定を受けたデジタル画像データは手順４８でコンピュータ３１のメモリに保存される。この保存は図２の手順１３に該当する。ＭＴＦ値が０.２ 未満と判定された場合には、手順４６で、その判定を受けたラインペア像のデータを有するデジタル画像データは手順４７でコンピュータ３１のメモリから消去され破棄される。
【００４６】
このように、検査フィルムの段階での解像度が保証されたデジタル画像データのみが保存されることになる。手順４４で、ＭＴＦ値が０.２ 未満、即ち判定合格範囲外と判定された場合には、図２の手順１２のように、手順５に戻って再度放射線透過試験でのフィルム撮影の条件を調整して実行し同様な手順を繰り返す。
【００４７】
その後、図２の手順１４にてデジタル画像データが持つ検査フィルムの各座標位置での輝度データの違いから欠陥有無を判定できる欠陥判定・サイジングソフトウェアを起動し、欠陥判定・サイジングソフトウェアで処理するＭＴＦ値が０.２ 以上のデジタル画像データをメモリから読み出し、更には当該デジタル画像データを手順１５にて試験条件等の属性条件とともに指定のメモリに再度保存する等の準備作業を行う。欠陥判定・サイジングソフトウェアは、コンピュータ３１に設定されているプログラムであって、デジタル画像データから各像の輝度と、輝度の分布を求めて欠陥の候補部を抽出し、その抽出した欠陥候補部の形状を計測してその形状から欠陥のみを検出し、その検出した欠陥に関する寸法や形状を示すサイジングや欠陥の座標位置等の欠陥に係る情報をディスプレイ３２の画面上に表示する手順の内容を有している。
【００４８】
認定された試験員は、手順１６でデジタル画像データによる画像と欠陥に係る情報が表示されたディスプレイ３２のデジタル画像の画面を見て、各産業界における規格基準に定められる欠陥に関する寸法形状等の各情報に係る許容値と比較判定する。この結果、許容できない欠陥があると見なされた場合には、試験体となった製品は補修，再製が必要と判断されるため、手順１７で試験体を補修・再製対象として分類する。
【００４９】
許容できない欠陥が認められない場合には、手順１８にて試験体の放射線透過試験は合格となり、検査報告書が作成される。ここには上述のデジタル画像データ，試験条件等の属性データが纏められ、手順１９にて試験体の品質を保証する情報としてコンピュータのメモリに保存される。
【００５０】
これらの情報は電子的に保存されるため、状況に応じてデータの公開が要求される場合には、ＷＥＢ等を利用した情報公開も可能である等、ＩＴ技術を応用した情報の伝達性，検索性の向上，情報管理の高度化につながる。
【００５１】
本実施例によってデジタル化された放射線透過試験の検査フィルムに係るデジタル画像データは、ラインペア像の識別分解能を定量的に評価することにより、フィルム画像データの解像度を定量的に保障し、試験員個人による、撮影後の検査フィルムの段階での解像度判定のばらつきのない試験結果を提供することが可能となる。
【００５２】
同時に、撮影後の検査フィルムをデジタル画像に変換可能することにより、ＩＴ技術との連携による試験結果管理の簡素化，遠隔地からの放射線透過試験結果判定支援等の試験プロセスの合理化，画像処理技術を生かした欠陥判定支援等の検査の高度化が実現できる。
【産業上の利用可能性】
【００５３】
本発明は、例えば、各種プラントの配管や機器の溶接部やその周辺に放射線を透過して配管や機器の溶接部をフィルムに撮影して非破壊で配管や機器の溶接部の内部欠陥を検査する用途に用いることが出来る。
【図面の簡単な説明】
【００５４】
【図１】本発明の実施例に用いられるラインペア形透過度計の上面図（上図）及び立面図（下図）である。
【図２】本発明の実施例による放射線透過試験方法の試験手順を示すフロー図である。
【図３】本発明の実施例による放射線透過試験状況を示しており、（ａ）図はその状況の立面図、（ｂ）図は（ａ）図の試験体の上面から見た図である。
【図４】本発明の実施例による放射線透過試験の属性データ登録項目を示した図である。
【図５】本発明の実施例による検査フィルムのスキャニングから欠陥判定までに使用するツールとその役割を示した説明図である。
【図６】本発明の実施例によるデジタル画像データのディスプレイ上での表示内容を示した図である。
【図７】本発明の実施例による解像度の測定を行うためのプログラムの処理手順を示したフロー図である。
【図８】本発明の実施例によるラインペア像各位置の濃度のヒストグラム図である。
【符号の説明】
【００５５】
１…ラインペア形透過度計の板材、２…スリット、３…スリット間隔、２０…線源、
２１…ラインペア形透過度計、２２…試験体、２３…検査フィルム、３０…スキャナ、
３１…コンピュータ、３２…ディスプレイ。
【図１】
2005117513.tif 000003
【図２】
2005117513.tif 000004
【図３】
2005117513.tif 000005
【図４】
2005117513.tif 000006
【図５】
2005117513.tif 000007
【図６】
2005117513.tif 000008
【図７】
2005117513.tif 000009
【図８】
2005117513.tif 000010